(57)【要約】【課題】短時間で容易に無線親機と無線子機との間の無線通信の縁組を設定する無線テレメータシステムを提供する。【解決手段】無線アンテナを介して特定小電力無線通信等の無線通信を行う無線親機１０１と、無線親機１０１と無線アンテナを介して無線通信を行う無線子機１０３とを備えた無線テレメータシステムにおいて、無線親機１０１は近距離無線通信を行うＲＦタグ１０２を有し、無線子機１０３は、無線親機１０１が有するＲＦタグ１０２と無線通信するＲＦタグ通信モジュール１０４を有しており、無線親機１０１に無線子機１０３が近付けられると、近距離無線通信により無線親機１０１と無線子機１０３間の互いの情報を交換する機能を有する。【選択図】図１
2012120068.tif 000002
【特許請求の範囲】
【請求項１】
無線アンテナを介して特定小電力無線通信等の無線通信を行う無線親機と、前記無線親機と無線アンテナを介して無線通信を行う無線子機とを備えた無線テレメータシステムにおいて、
前記無線親機は近距離無線通信を行うＲＦタグを有し、前記無線子機は、前記無線親機が有するＲＦタグと無線通信するＲＦタグ通信モジュールを有しており、
前記無線親機に前記無線子機が近付けられると、近距離無線通信により前記無線親機と前記無線子機間の互いの情報を交換する機能を有することを特徴とする無線テレメータシステム。
【請求項２】
センタ側網制御装置に電話回線を介して接続された端末側網制御装置と、前記端末側網制御装置に有線接続された、または、前記端末網制御装置を内蔵した特定小電力無線通信等の無線通信を行う無線親機と、前記無線親機と無線接続される複数の無線子機と、前記複数の無線子機にそれぞれ有線接続される複数のマイコンメータとによって構成される無線テレメータシステムであって、
前記無線親機は近距離無線通信を行うＲＦタグを有し、前記無線子機は、前記親機が有するＲＦタグと無線通信するＲＦタグ通信モジュールを有し、前記無線親機に前記無線子機を近付けることで、近距離無線通信により、前記特定小電力無線通信等の無線通信を行う際に必要な前記無線親機と前記無線子機の互いの無線識別情報を交換する機能を有することを特徴とした無線テレメータシステム。
【請求項３】
請求項１または請求項２に記載の無線テレメータシステムにおいて、
前記無線親機は、特定小電力無線通信等の無線通信により前記無線子機に接続されているマイコンメータの検針値情報を収集する機能を有し、専用のＲＦタグリーダにて前記検針値情報を一括で読みだすことを特徴とする無線テレメータシステム。
【発明の詳細な説明】
【技術分野】
【０００１】
本発明は、網制御装置を用いたガスメータ・水道メータ等の無線テレメータリングシステムにおいて、近距離無線通信を行う無線テレメータシステムに関する。
【背景技術】
【０００２】
従来から、センタ側網制御装置からの命令により、無線親機と無線子機が無線通信を行うための情報を交換する縁組処理を行う無線テレメータシステムが知られている。
【０００３】
例えば、特許文献１には、予め無線親機に無線子機の情報を登録しておき、無線親機の縁組情報を含むデータを登録された無線子機宛てに送信することによって、無線親機と無線子機の縁組を行う方法が開示されている。
【０００４】
また、例えば、特許文献２には、複数世帯（複数の無線子機）の検針データを収集し、電話回線を介してセンタ側網制御装置に一括で複数世帯の検針データを送信する無線親機が開示されている。
【０００５】
図４は、従来の無線テレメータシステムにおける縁組情報交換を実施するブロック図である。無線親機１０１は、電話回線３０２を介してセンタ側網制御装置３０１と接続され、無線子機１０３との間で無線通信を行う。無線親機１０１内に端末側網制御装置３０３を内蔵していても良い。
【０００６】
無線親機１０１と無線子機１０３との間で無線通信を開始する際には、予め無線親機１０１に無線子機１０３の情報を登録しておき、無線親機１０１の縁組情報を含むデータを登録された無線子機１０３宛てに送信することによって、無線親機１０１と無線子機１０３との間の縁組処理を行う。
【先行技術文献】
【特許文献】
【０００７】
【特許文献１】特開２００６−３０３９４２号公報
【特許文献２】特開２００８−９０５４４号公報
【発明の概要】
【発明が解決しようとする課題】
【０００８】
特許文献１の手法においては、センタ側網制御装置や専用の設定機等の使用により、予め無線子機の情報を登録しておく必要があり、無線通信開始時の設定作業に手間と時間を要してしまう問題点があった。
【０００９】
本発明は、上記に鑑み、短時間で容易に無線親機と無線子機との間の無線通信の縁組を設定する無線テレメータシステムを提供することを目的とする。
【課題を解決するための手段】
【００１０】
本発明の無線テレメータシステムは、無線アンテナを介して特定小電力無線通信等の無線通信を行う無線親機と、前記無線親機と無線アンテナを介して無線通信を行う無線子機とを備えた無線テレメータシステムにおいて、前記無線親機は近距離無線通信を行うＲＦタグ（RFID（Radio Frequency IDentification：電波方式認識）タグ）を有し、前記無線子機は、前記無線親機が有するＲＦタグと無線通信するＲＦタグ通信モジュールを有しており、前記無線親機に前記無線子機が近付けられると、近距離無線通信により前記無線親機と前記無線子機間の互いの情報を交換する機能を有するものである。
【００１１】
また、本発明の無線テレメータシステムは、センタ側網制御装置に電話回線を介して接続された端末側網制御装置と、前記端末側網制御装置に有線接続された、または、前記端末網制御装置を内蔵した特定小電力無線通信等の無線通信を行う無線親機と、前記無線親機と無線接続される複数の無線子機と、前記複数の無線子機にそれぞれ有線接続される複数のマイコンメータとによって構成される無線テレメータシステムであって、前記無線親機は近距離無線通信を行うＲＦタグを有し、前記無線子機は、前記親機が有するＲＦタグと無線通信するＲＦタグ通信モジュールを有し、前記無線親機に前記無線子機を近付けることで、近距離無線通信により、前記特定小電力無線通信等の無線通信を行う際に必要な前記無線親機と前記無線子機の互いの無線識別情報を交換する機能を有するものである。
【００１２】
本発明の無線テレメータシステムは、更に、前記無線親機は、特定小電力無線通信等の無線通信により前記無線子機に接続されているマイコンメータの検針値情報を収集する機能を有し、専用のＲＦタグリーダにて前記検針値情報を一括で読みだすものである。
【発明の効果】
【００１３】
本発明によれば、集合住宅等の検針作業員が入り難い場所においても、容易に各需要家の検針データ等を容易に取得することが可能となる。また、設置現場において、無線親機と無線子機との縁組処理を容易かつ短時間で行うことが可能となる。
【図面の簡単な説明】
【００１４】
【図１】図１は本発明の無線テレメータシステムにおける、第一の実施の形態を示すブロック図である。
【図２】図２は本発明の無線テレメータシステムにおける、第二の実施の形態を示すブロック図である。
【図３】図３は本発明の無線テレメータシステムにおける、第三の実施の形態を示すブロック図である。
【図４】図４は従来の無線テレメータシステムにおける、縁組情報交換を実施するブロック図である。
【発明を実施するための形態】
【００１５】
以下、本発明の無線テレメータシステムにおける実施の形態について、図面に基づいて詳細に説明する。以下の説明では、同一の部品には同一の符号を付してある。それらの名称および機能も同一である。したがって、それらについての詳細な説明は繰返さない。
【実施例１】
【００１６】
図１は、本発明の無線テレメータシステムにおける、第一の実施の形態を示すブロック図である。
【００１７】
図１において、無線テレメータシステムは、特定小電力無線等の無線通信機能を備えた無線親機１０１と無線子機１０３とで構成されている。
【００１８】
さらに無線親機１０１は無線アンテナと共にＲＦタグ１０２を備え、無線子機１０３は無線アンテナと共にＲＦタグ通信モジュール１０４を備えている。
【００１９】
無線子機１０３が備えるＲＦタグ通信モジュール１０４は、無線親機１０１が備えるＲＦタグ１０２に対して電界を与えることで無線通信を行う機能を備えている。
【００２０】
これにより、無線子機１０３が無線親機１０１に近付くだけで、特定小電力無線等の無線通信に必要な情報をＲＦタグ１０２およびＲＦタグ通信モジュール２０１を介して交換することができる。
【実施例２】
【００２１】
図２は、本発明の無線テレメータシステムにおける、第二の実施の形態を示すブロック図である。
【００２２】
図２において、無線テレメータシステムは、センタ側網制御装置３０１と、センタ側網制御装置３０１に電話回線３０２で接続された端末側網制御装置３０３と、端末側網制御装置３０３と有線接続された、または、端末側網制御装置３０３を内蔵した、特定小電力無線等の無線通信機能を備えた無線親機１０１と、無線親機１０１と無線通信を行う複数の無線子機１０３とで構成されている。
【００２３】
各無線子機１０３が備えるＲＦタグ通信モジュール１０４は、無線親機１０１が備えるＲＦタグ１０２に対して電界を与えることで無線通信を行う機能を備えている。
【００２４】
これにより、無線子機１０３が無線親機１０１に近付くだけで、特定小電力無線等の無線通信を行う際に必要な無線親機１０１と無線子機１０３の互いの無線識別情報をＲＦタグ１０２およびＲＦタグ通信モジュール２０１を介して、製品の出荷時等に容易に情報交換することができる。
【実施例３】
【００２５】
図３は、本発明の無線テレメータシステムにおける、第三の実施の形態を示すブロック図である。
【００２６】
図３において、無線テレメータシステムは、ＲＦタグ１０２を備えた無線親機１０１とマイコンメータ２０２を備えた無線子機１０４とＲＦタグリーダ２０１とを備えており、無線親機１０１と無線子機１０３とは特定小電力無線等の無線通信を介して接続されている。
【００２７】
ＲＦタグリーダ２０１は、無線親機１０１のＲＦタグ１０２に電界を与えることで、ＲＦタグ１０２を介して無線親機１０１と無線通信を行う機能を備えている。
【００２８】
これにより、ＲＦタグリーダ２０１は、無線親機１０１が複数の無線子機１０３から集めたマイコンメータ２０２の検針値情報を一括して読みだすことができる。
【００２９】
以上説明したように、本発明によれば、集合住宅等の検針作業員が入り難い場所においても、容易に各需要家の検針データ等を容易に取得することが可能となる。また、設置現場において、無線親機と無線子機との縁組処理を容易かつ短時間で行うことが可能となる。
【符号の説明】
【００３０】
１０１  無線親機
１０２  ＲＦタグ
１０３  無線子機
１０４  ＲＦタグ通信モジュール
２０１  ＲＦタグリーダ
２０２  マイコンメータ
３０１  センタ側網制御装置
３０２  電話回線
３０３  端末側網制御装置
【図１】
2012120068.tif 000003
【図２】
2012120068.tif 000004
【図３】
2012120068.tif 000005
【図４】
2012120068.tif 000006